(57)【特許請求の範囲】
【請求項１】
コンピュータ実装方法であって：
データ接続を使用してモジュール式カメラアクセサリ（ＭＣＡ）をスマートデバイスにリンクさせるステップと；
前記ＭＣＡとモジュール式カメラアタッチメント対応光学（ＭＣＯ）デバイスとの間のコリメーション機能を実行するために、前記スマートデバイス上でアプリケーションを起動するステップと；
前記ＭＣＡ、及び前記ＭＣＯデバイスの光路からコリメーションデータを収集するように構成された前記スマートデバイスのカメラからコリメーションデータを受信するステップと；
前記ＭＣＡ及び前記スマートデバイスのカメラから受信した前記コリメーションデータを処理し、アライメントインジケータを判定するステップと；
前記判定されたアライメントインジケータを用い、前記ＭＣＡの光学特性を前記ＭＣＯデバイスの光学特性とマッチさせるステップと；
前記アプリケーションを前記スマートデバイス上で起動して前記ＭＣＡから受信したデータを処理するステップと；を備える、
コンピュータ実装方法。
【請求項２】
前記データ接続が、電話、ネットワーク、ＢＬＵＥＴＯＯＴＨ（登録商標）、及びＷＩＦＩ（登録商標）のうちの１つである、
請求項１に記載のコンピュータ実装方法。
【請求項３】
前記スマートデバイスが、モバイル遠隔通信デバイスである、
請求項１に記載のコンピュータ実装方法。
【請求項４】
前記アライメントインジケータが、前記ＭＣＡの光路を前記ＭＣＯデバイスの光路と整列させるために用いられる前記コリメーションデータ中の視覚的ドット又はグリッドを含む、
請求項１に記載のコンピュータ実装方法。
【請求項５】
前記アプリケーションが、インテリジェント画像処理を実行して前記ＭＣＯデバイスの前記光学特性にマッチするように前記ＭＣＡの自動調節を実行する、ステップを備える、
請求項１に記載のコンピュータ実装方法。
【請求項６】
電動式コリメーションマウントを制御して前記ＭＣＡのアライメントを変更する、ステップを備える、
請求項５に記載のコンピュータ実装方法。
【請求項７】
前記アプリケーションが、受信したＭＣＡデータを前記スマートデバイス上に記録する、ステップを備える、
請求項１に記載のコンピュータ実装方法。
【請求項８】
コンピュータが実行可能なコンピュータ可読命令を記憶した、非一時的コンピュータ可読媒体であって：
データ接続を使用してモジュール式カメラアクセサリ（ＭＣＡ）をスマートデバイスにリンクさせることと；
前記ＭＣＡとモジュール式カメラアタッチメント対応光学（ＭＣＯ）デバイスとの間のコリメーション機能を実行するために、前記スマートデバイス上でアプリケーションを起動することと；
前記ＭＣＡ、及び前記ＭＣＯデバイスの光路からコリメーションデータを収集するように構成された前記スマートデバイスのカメラからコリメーションデータを受信することと；
前記ＭＣＡ及び前記スマートデバイスのカメラから受信した前記コリメーションデータを処理し、アライメントインジケータを判定することと；
前記判定されたアライメントインジケータを用い、前記ＭＣＡの光学特性を前記ＭＣＯデバイスの光学特性とマッチさせることと；
前記アプリケーションを前記スマートデバイス上で起動して前記ＭＣＡから受信したデータを処理することと；を実行するように構成された、
非一時的コンピュータ可読媒体。
【請求項９】
前記データ接続が、電話、ネットワーク、ＢＬＵＥＴＯＯＴＨ（登録商標）、及びＷＩＦＩ（登録商標）のうちの１つである、
請求項８に記載の非一時的コンピュータ可読媒体。
【請求項１０】
前記スマートデバイスが、モバイル遠隔通信デバイスである、
請求項８に記載の非一時的コンピュータ可読媒体。
【請求項１１】
前記アライメントインジケータが、前記ＭＣＡの光路を前記ＭＣＯデバイスの光路と整列させるために用いられる前記コリメーションデータ中の視覚的ドット又はグリッドを含む、
請求項８に記載の非一時的コンピュータ可読媒体。
【請求項１２】
前記アプリケーションが、インテリジェント画像処理を実行して前記ＭＣＯデバイスの前記光学特性にマッチするように前記ＭＣＡの自動調節を実行する命令をさらに備える、
請求項８に記載の非一時的コンピュータ可読媒体。
【請求項１３】
前記ＭＣＡのアライメントを変更するために電動式コリメーションマウントを制御する命令をさらに備える、
請求項１２に記載の非一時的コンピュータ可読媒体。
【請求項１４】
前記アプリケーションが、受信したＭＣＡデータを前記スマートデバイス上に記録する命令をさらに備える、
請求項８に記載の非一時的コンピュータ可読媒体。
【請求項１５】
コンピュータメモリと相互運用可能に連結されたハードウェアプロセッサであって：
データ接続を使用してモジュール式カメラアクセサリ（ＭＣＡ）をスマートデバイスにリンクさせることと；
前記ＭＣＡとモジュール式カメラアタッチメント対応光学（ＭＣＯ）デバイスとの間のコリメーション機能を実行するために、前記スマートデバイス上でアプリケーションを起動することと；
前記ＭＣＡ、及び前記ＭＣＯデバイスの光路からコリメーションデータを収集するように構成された前記スマートデバイスのカメラからコリメーションデータを受信することと；
前記ＭＣＡ及び前記スマートデバイスのカメラから受信した前記コリメーションデータを処理し、アライメントインジケータを判定することと；
前記判定されたアライメントインジケータを用い、前記ＭＣＡの光学特性を前記ＭＣＯデバイスの光学特性とマッチさせることと；
前記アプリケーションを前記スマートデバイス上で起動して前記ＭＣＡから受信したデータを処理することと；を実行するように構成された、ハードウェアプロセッサを備える：
コンピュータ実装システム。
【請求項１６】
前記データ接続が、電話、ネットワーク、ＢＬＵＥＴＯＯＴＨ（登録商標）、及びＷＩＦＩ（登録商標）のうちの１つである、
請求項１５に記載のコンピュータ実装システム。
【請求項１７】
前記スマートデバイスが、モバイル遠隔通信デバイスである、
請求項１５に記載のコンピュータ実装システム。
【請求項１８】
前記アライメントインジケータが、前記ＭＣＡの光路を前記ＭＣＯデバイスの光路と整列させるために用いられる前記コリメーションデータ中の視覚的ドット又はグリッドを含む、
請求項１５に記載のコンピュータ実装システム。
【請求項１９】
前記アプリケーションが、インテリジェント画像処理を実行して前記ＭＣＯデバイスの前記光学特性にマッチするように前記ＭＣＡの自動調節を実行するようにさらに構成された、
請求項１５に記載のコンピュータ実装システム。
【請求項２０】
前記ＭＣＡのアライメントを変更するために電動式コリメーションマウントを制御するようにさらに構成された、
請求項１９に記載のコンピュータ実装システム。
【請求項２１】
前記アプリケーションが、受信したＭＣＡデータを前記スマートデバイス上に記録するようにさらに構成された、
請求項１５に記載のコンピュータ実装システム。
【発明の詳細な説明】
【技術分野】
【０００１】
本願は、２０１４年１２月１６日に出願された米国仮特許出願第６２／０９２，３８３号の優先権を主張し、その内容を全て引用して本願に組み込む。
【背景技術】
【０００２】
現在、カメラ対応光学系（例えば、双眼鏡、望遠鏡、スポッティングスコープ（ｓｐｏｔｔｉｎｇ  ｓｃｏｐｅ）、銃器スコープなど）の分野においては、典型的なカメラ対応光学デバイスは、それぞれの特定システムの特性により限界があり（例えば、基本である光学系の光学特性、一体化されたカメラに関連する限界など）、その全体的性能は制限を受け、及び／又は、ユーザの要求は満たされないことがある。カメラ対応光学デバイスモデルの中には、安価で、光学的にもカメラとしても得られる品質が低いものもあれば、高価なものもあるが、高品質のカメラは、関連する光学系との併用に限定され、全体として望まれる成果は依然として得られていない。
【０００３】
カメラ対応光学デバイスのカメラからのデータは、典型的には、データを自動的にバックアップしたり転送したり（例えば、更なる閲覧、処理などのためにモバイルデバイス又は他のデバイスに）することができない内蔵／内部メモリに記録される。そのため、記録されたデータに伴う作業が非効率である。光学デバイスを通して可視状態にあるものを記録したい場合、光学デバイスに連結された接眼レンズアタッチメントが有益ではあるが、接眼レンズアタッチメントを取り外さない限り、光学デバイスの使い勝手は損なわれてしまう。
【発明の概要】
【０００４】
本開示は、光学デバイス用モジュール式カメラアクセサリについて記載する。
【０００５】
モジュール式カメラアクセサリ（ＭＣＡ）は、データ接続を利用してスマートデバイスにリンクされる。ＭＣＡとモジュール式カメラアタッチメント対応光学（ＭＣＯ）デバイスとの間のコリメーションを行うために、スマートデバイス上でアプリケーションが起動される。ＭＣＡと、ＭＣＯデバイスの光路からコリメーションデータを収集するように構成されたスマートデバイスのカメラとから、コリメーションデータが受信される。ＭＣＡとスマートデバイスのカメラとから受信されたコリメーションデータは処理されてアライメントインジケータを判定する。判定されたアライメントインジケータを用いて、ＭＣＡの光学特性は、ＭＣＯデバイスの光学特性とマッチさせられる。アプリケーションは、ＭＣＡから受信したデータを処理するためにスマートデバイス上で起動される。
【０００６】
本態様の他の実施は、対応するコンピュータシステム、装置、及び１つ以上のコンピュータ可読媒体／記憶デバイスに記録され、記載された光学デバイス用モジュール式カメラアクセサリと関連する方法の作業を遂行するようにそれぞれが構成されているコンピュータプログラムを含むことができる。１つ以上のコンピュータを有するシステムを、システムにインストールされ、作動するとシステムに作業を遂行させるソフトウェア、ファームウェア、ハードウェア、又はソフトウェア、ファームウェアもしくはハードウェアの組み合わせを有することで、特定の作動又は作業を遂行するように構成することができる。１つ以上のコンピュータプログラムを、データ処理装置によって実行されるときに装置に作業を遂行させる命令を含むことで、特定の作動又は作業を遂行するように構成することができる。
例えば、１つのコンピュータ実装方法は、データ接続を使用してモジュール式カメラアクセサリ（ＭＣＡ）をスマートデバイスにリンクさせるステップと；前記ＭＣＡとモジュール式カメラアタッチメント対応光学（ＭＣＯ）デバイスとの間のコリメーション機能を実行するために、前記スマートデバイス上でアプリケーションを起動するステップと；前記ＭＣＡ、及び前記ＭＣＯデバイスの光路からコリメーションデータを収集するように構成された前記スマートデバイスのカメラからコリメーションデータを受信するステップと；前記ＭＣＡ及び前記スマートデバイスのカメラから受信した前記コリメーションデータを処理し、アライメントインジケータを判定するステップと；前記判定されたアライメントインジケータを用い、前記ＭＣＡの光学特性を前記ＭＣＯデバイスの光学特性とマッチさせるステップと；前記アプリケーションを前記スマートデバイス上で起動して前記ＭＣＡから受信したデータを処理するステップと；を備える。
【０００７】
上記及び他の実施はそれぞれ、場合により以下の特徴の１つ以上を、単独で又は組み合わせて含むことができる。
【０００８】
一般的な実施と組み合わせ可能な第１の態様は、データ接続が、電話、ネットワーク、ＢＬＵＥＴＯＯＴＨ（登録商標）、及びＷＩＦＩ（登録商標）のうちの１つである。
【０００９】
上記態様のいずれかと組み合わせ可能な第２の態様は、スマートデバイスがモバイル遠隔通信デバイスである。
【００１０】
上記態様のいずれかと組み合わせ可能な第３の態様は、アライメントインジケータが、ＭＣＡの光路をＭＣＯデバイスの光路と整列させるために使用されるコリメーションデータの中の視覚的ドット又はグリッドを含む。
【００１１】
上記態様のいずれかと組み合わせ可能な第４の態様は、アプリケーションがインテリジェント画像処理を実行してＭＣＯデバイスの光学特性にマッチするようにＭＣＡの自動調節を実行する、ステップを含む。
【００１２】
上記態様のいずれかと組み合わせ可能な第５の態様は、電動式コリメーションマウントを制御してＭＣＡのアライメントを変更する、ステップ含む。
【００１３】
上記態様のいずれかと組み合わせ可能な第６の態様は、アプリケーションが受信したＭＣＡデータをスマートデバイス上に記録する、ステップを含む。
【００１４】
本明細書に記載される主題は、以下の利点の１つ以上を実現するために特定の実施において実施することができる。第１に、ＭＣＯと共にＭＣＡを使用すると、ＭＣＡによって受信される画像データ、音声データ、及び／又は他のデータが全体として良好なものとなる。例えば、ＭＣＯを用いることにより、画像データ、音声データ、及び／又は他のデータを受信するためにＭＣＡを適切に配置し正しい方向に置くことができる。第２に、実施によっては、ＭＣＯデバイスの本体に人間工学的に取り付けられ、ＭＣＯデバイスと視覚的にコリメートされたＭＣＡは、カメラデータ（例えば、ビデオデータ、静止データ、熱データ、測距データ、音声データ、及び／又は他のデータ）を提供するための取り外し可能／交換可能なセンサーユニットを有することができる。第３に、カメラデータは、ＭＣＡによって記録され、リアルタイムで（例えば、電話、ネットワーク、ＢＬＵＥＴＯＯＴＨ（登録商標）、ＷＩＦＩ（登録商標）、及び／又は本開示と矛盾しない他の送信手段により）他の計算デバイス（例えば、スマート／モバイルデバイス、サーバーなど）及び／又は特定のタスク（例えば、記録、処理、操作、拡大、再放送など）のための集中処理センタ（例えば、データセンタ、サーバーファーム、指令センタなど）に送信できる。第４に、送信されたＭＣＡデータは、ＭＣＯデバイス／ＭＣＡなどのオペレータから離れたユーザが同時に閲覧可能である。実施によっては、ＭＣＡからのカメラデータは、スマートデバイス（例えば、携帯電話、タブレット、ＧＯＯＧＬＥ  ＧＬＡＳＳ（登録商標）のような頭部搭載型スマートデバイス、又はＭＣＯデバイス／ＭＣＡのユーザが装着する／持ち運ぶ同様の処理ユニットなど）に送ることができる。これにより、ＭＣＡ（典型的には、ＭＣＯデバイスの視覚的視野（ＦＯＶ、ｆｉｅｌｄ  ｏｆ  ｖｉｅｗ）と相互関係を持つように構成／整列されている）からのデータ及び画像を見る／聞くことが可能となり、可能なデータ操作、拡張などにスマートデバイスの表示／処理能力の利用が実現される。第５に、実施によっては、ＭＣＡからの画像を他のデータと重ね合わせ、対象（例えば、全地球測位システム（ＧＰＳ）側位データ、コンパス、音声など）の拡大／拡張した状態での閲覧を可能にする。この他のデータは、ＭＣＡ、ＭＣＯデバイス（ＭＣＡ又は他のデバイスと通信するように構成されている）、又はデータをＭＣＡに通信できる、若しくは受信したＭＣＡデータをスマートデバイス上で拡大／拡張できる入手可能なスマートデバイスと関連する機能から得ることができる。拡大／拡張されたデータは、ＭＣＯデバイス（ＭＣＯデバイスのデータをレンダリングするように適切に構成された表示手段を有する）及び／又は別のデバイス、例えば、モバイル計算デバイス又は他のデバイスに表示することができる。第６に、実施によっては、ＭＣＡは、ＭＣＯデバイスから取り外し、ＭＣＯデバイスが提供する機能なしに、他の有用な目的（例えば、監視、アクションカメラなど）のために独立して用いることができる。第７に、ＭＣＡに一体化されＭＣＡと併用されるマイクロホンを用いてＭＣＡ及び／又は取り付けられたスマートデバイスに声による指令を発することができる。他の利点は、当業者には明らかであろう。
【００１５】
本明細書の主題の１つ以上の実施の詳細を、添付図面と以下の説明で述べる。主題の他の特徴、態様、及び利点は、説明、図面、及び請求項から明らかになろう。
【図面の簡単な説明】
【００１６】
【図１】図１は、実施による、モジュール式カメラアタッチメント対応光学（ＭＣＯ）デバイス用のモジュール式カメラアクセサリ（ＭＣＡ）の斜視図である。
【００１７】
【図２】図２は、実施による、図１のＭＣＡ及びＭＣＯデバイスの異なる斜視図である。
【００１８】
【図３】図３は、実施による、図１及び図２のＭＣＡ及びＭＣＯデバイスの別の斜視図である。
【００１９】
【図４】図４は、実施による、ＭＣＡを含む分散計算システム（ＥＤＣＳ）の一の実施例のコンポーネントを示すブロック図である。
【００２０】
【図５】図５は、実施による、ＭＣＯデバイス及びスマートデバイスと共にＭＣＡを用いる方法のフローチャートである。
【００２１】
様々な図面における同様の符号及び記号表示は同様の要素を示す。
【発明を実施するための形態】
【００２２】
以下の詳細な説明は、当業者が、開示された主題を製作し、使用し、これを実行できるようにするためのものであり、１つ以上の特定の実施の形態の文脈においてなされる。開示された実施の形態に対して様々な改変を行えることを当業者は容易に分かるであろうし、本明細書で定義する一般原理は、開示の範囲から逸脱することなく他の実施の形態及び用途に適用できる。したがって、本開示は、説明し及び／又は図示した実施の形態に制限されず、本明細書に開示する原理及び特徴と矛盾しない最も広い範囲に従うことを意図する開示である。
【００２３】
ここで説明対象を概要で述べると、それは、モジュール式カメラアタッチメント対応光学（ＭＣＯ）デバイスの本体に人間工学的に取り付けられ、それと視覚的にコリメートされたモジュール式カメラアクセサリ（ＭＣＡ）である。ＭＣＡは、ＭＣＯデバイスとして機能する観察用光学デバイス（例えば、双眼鏡及びスコープ）を、追加の特徴／機能（例えば、携帯電話などのスマートデバイスとの無線接続性、声による指令を可能としたり、観察対象の遠方の音及び／又は観察者による声のコメントを記録したりするための補助又は内蔵マイクロホン）で拡張するために用いられる。実施によっては、ＭＣＡは、カメラデータ（例えば、ビデオデータ、静止データ、熱データ、測距データ、音声データ、及び／又は他のデータ）を提供するための取り外し可能／交換可能なセンサーユニットを有することができる。データはＭＣＡにより記録され、リアルタイムで（例えば、電話、ネットワーク、ＢＬＵＥＴＯＯＴＨ（登録商標）、ＷＩＦＩ（登録商標）、及び／又は本開示と矛盾しない他の送信手段により）、他の計算デバイス（例えば、スマート／モバイルデバイス、サーバーなど）、及び／又は特定のタスク（例えば、記録、処理、操作、拡大、再放送など）のための集中処理センタ（例えば、データセンタ、サーバーファーム、指令センタなど）に送信することができる。送信されたＭＣＡデータは、ＭＣＯデバイス／ＭＣＡなどのオペレータから離れたユーザが同時に閲覧可能である。実施によっては、ＭＣＡからのカメラデータは、スマートデバイス（例えば、携帯電話、タブレット、ＧＯＯＧＬＥ  ＧＬＡＳＳ（登録商標）のような頭部搭載型スマートデバイス、又はＭＣＯデバイス／ＭＣＡのユーザが装着する／持ち運ぶ同様の処理ユニットなど）に送ることができる。これにより、ＭＣＡ（典型的には、ＭＣＯデバイスの視覚的視野（ＦＯＶ）と相互関係を持つように構成／整列されている）からのデータ及び画像を見る／聞くことが可能となり、データの操作、拡張などにスマートデバイスの表示／処理能力を利用できるようになる。実施によっては、ＭＣＡからの画像を他のデータと重ね合わせ、対象（例えば、全地球測位システム（ＧＰＳ）測位データ、コンパス、音声など）の拡大／拡張した状態での閲覧を可能にする。この他のデータは、ＭＣＡ、ＭＣＯデバイス（ＭＣＡ又は他のデバイスと通信するように構成されている）、又はデータをＭＣＡに通信できる、若しくは受信したＭＣＡデータをスマートデバイス上で拡大／拡張できる入手可能なスマートデバイスと関連する機能から得ることができる。拡大／拡張されたデータは、ＭＣＯデバイス（ＭＣＯデバイスのデータをレンダリングするように適切に構成された表示手段を備える）及び／又は別のデバイス、例えば、モバイル計算デバイス又は他のデバイスに表示することができる。実施によっては、ＭＣＡは、ＭＣＯデバイスから取り外し、ＭＣＯデバイスが提供する機能なしに、他の有用な目的（例えば、監視、アクションカメラなど）のために独立して用いることができる。
【００２４】
図１は、実施による、モジュール式カメラアタッチメント対応光学（ＭＣＯ）デバイス１０４用のモジュール式カメラアクセサリ（ＭＣＡ）１０２の斜視図１００である。典型的な実施において、ＭＣＡは、ＭＣＯデバイス１０４及び／又は他のアクセサリとの組み合わせで画像及び音声ビデオを記録するように構成されている。なお、図１〜３では、ＭＣＡ１０２が特定の例示の構成で示されているが、ＭＣＡは、図示の実施に限定されない。他の実施において、ＭＣＡ１０２は、異なる形状、サイズなどとなるように構成してもよい。例えば、ＭＣＡ１０２は、一般的に入手可能な「アクション」型カメラ、例えばＧＯＰＲＯ（登録商標）  ＨＥＲＯなどと同様に、より平坦な矩形に構成し得る。他の実施において、ＭＣＡ１０２は、ＭＣＯデバイス１０４の構成された形状に滑らかに適合して流線型／一体型の外観となるように、特定のＭＣＯデバイス１０４にカスタマイズ（特注）して構成し得る。当業者には明らかなように、本開示と矛盾しないＭＣＡ１０２の可能な構成が多数存在する。これらの他の構成も、本開示の範囲内であるとみなされる。同様に、特定の例示の構成（例えば、双眼鏡）でＭＣＯデバイス１０４が示されているが、ＭＣＯデバイス１０４は図示の構成によって限定されるものではない。同じく当業者には明らかなように、本開示と矛盾しないＭＣＯデバイス１０４の可能な構成（例えば、双眼鏡、望遠鏡、スポッティングスコープ、銃器スコープなど）が多数存在する。これらの他の構成も、本開示の範囲内であるとみなされる。
【００２５】
典型的な実施において、ＭＣＡ１０２は、高倍率の対物レンズ１０６、電源１０８、制御アセンブリ１１０、ＭＣＯデバイス１０４の本体に人間工学的に取り付けられるようにデザインされたＭＣＯデバイスマウント１１２（不図示、図３参照）、コリメーションマウント１１４（不図示、図３参照）、デジタルセンサ（一つ以上）１１６（図１には不図示）、プロセッサ／制御ボード１１８（図１には不図示）、メモリ１２０（図１には不図示）、インターフェース１２２（図１には不図示）（例えば、無線機又は他の送信ユニット）を含む。実施によっては、ＭＣＡ１０２は、マイクロホン１２４（図１には不図示）を更に含む。実施によっては、マイクロホン１２４はＭＣＡ１０２に組み込まれ、記録／送信すべき音声データを受信するための小さな開口をＭＣＡ１０２のハウジングに有することができる。他の実施において、マイクロホン１２４は、別の高感度／指向性マイクロホンを、ＭＣＡ１０２／ＭＣＯデバイス１０４に、又は、三脚や手持ちマイクロホン支持体などの外部支持体に取り付けるための補助コネクタ（コネクタに関しては下記参照）を更に提供できる。実施によっては、マイクロホン１２４を用いて、作動／機能（以下に記載する制御アセンブリ（組立体）１１０によって提供されるものの一部又は全て）を制御するためにＭＣＡ及び／又は取り付けられたスマートデバイスに音声指令を発することができる。
【００２６】
他の実施において、ＭＣＡ１０２は、デジタルセンサ１１６及び／又はマイクロホン１２４によって得られた視覚及び／又は音声データを拡大するためにデータを提供／受信するための他の計器／センサを含むことができる。例えば、他の計器／センサは、ＧＰＳ受信機／送信機、クロック、加速度計、ジャイロスコープセンサ、コンパス、無線通信機、温度／圧力センサ、湿度計、高度計、照度センサ、レーザー測距計、及び／又は他の計器／センサを含むことができる。
【００２７】
実施によっては、ＭＣＡ１０２は、制御アセンブリ１１０、外部電源、計算機器（例えばスマートデバイス）、メモリ記憶デバイス、及び／又は上記の計器／センサなどにＭＣＡ１０２を取り付けることを可能にする様々なコネクタ（不図示）を含むことができる。例えば、様々なコネクタは、ＵＳＢ（及びバリアント（変形））、ＳＤ／マイクロＳＤメモリカードスロット、ＣＦメモリカードスロット、ＦＩＲＥＷＩＲＥ（登録商標）、ＬＩＧＨＴＮＩＮＧ（登録商標）、ＲＣＡ、３．５ｍｍオーディオ、ＨＤＭＩ（登録商標）、コンポーネント、及び／又は本開示と矛盾しない他のタイプのコネクタを含むことができる。
【００２８】
高倍率の対物レンズ１０６は、ＭＣＡ１０２（全体として符号１０２で示す）のハウジングに取り付けられ、かつＭＣＯデバイス１０４として機能するほとんどの観察用光学系システムと同じ又は同様のＦＯＶを「見る」ために、ＭＣＯデバイス１０４の対物光学系の方向を向くように構成されている。換言すると、対物レンズ１０６は、ＭＣＯデバイス１０４の倍率及びＦＯＶに「マッチする」（できる限り）ように選択／使用される。
【００２９】
実施によっては、対物レンズ１０６は、ＭＣＡ１０２ハウジングに一体化されたデジタルセンサ（一つ以上）１１６とは別体であり、それらを覆って保護する。他の実施において、対物レンズ１０６及びデジタルセンサ（一つ以上）１１６は、組み合わされて単体ユニット（例えば、「カメラユニット」）になっている。
【００３０】
実施によっては、対物レンズは、ＭＣＡの目的（例えば、必要とされるより高い倍率、所望の視覚データなど）に応じて交換可能である。例えば、実施によっては、対物レンズ１０６は、可視放射線に対して透明であるが、赤外（ＩＲ）放射線に対して不透明な材料で構成することができる。他の実施において、対物レンズ１０６は、熱画像システムで用いられているような、赤外ＩＲ放射線に対して透明な材料で構成することができる。実施によっては、対物レンズ１０６は、ゲルマニウム（Ｇｅ）、石英、ＡＭＴＩＥＲ、フッ化バリウム、フッ化カルシウム、塩化ナトリウム、ＣＬＥＡＲＴＲＡＮ、溶融シリカ、ケイ素、ポリエチレン、ＩＲ透過セラミック、及び／又は赤外電磁放射線に対して透明な任意の他のタイプの物質で構成することができる。実施によっては、対物レンズ１０６は、可視光及びＩＲ放射波長に対して透明な物質（例えば、石英、ポリエチレンなど）で製造することができる。実施によっては、ＭＣＡ１０２に関連する対物レンズ１０６及びデジタルセンサ（一つ以上）１１６は、別体のＭＣＡユニットを必要とすることなく全体的機能を変更するために、ＭＣＡ１０２ハウジング内で取り外して交換できる。
【００３１】
実施によっては、対物レンズ１０６の焦点は固定されている。他の実施において、対物レンズ１０６は、集束アセンブリ（例えば、制御アセンブリ１１０によって操作される、リンクされたスマートデバイス上で実行されるアプリケーションなど）を含むことができる。実施によっては、対物レンズ１０６は、光学ズーム機能（例えば、制御アセンブリ１１０によって操作される、リンクされたスマートデバイス上で実行されるアプリケーションなど）を提供するように構成されている。
【００３２】
対物レンズ１０６とデジタルセンサ（一つ以上）１１６が組み合わされて単体ユニット（例えば、「カメラユニット」）となっている実施において、カメラユニットは、ユニットとしてＭＣＡ１０２から取り外し可能である。例えば、１つのカメラユニットは、至近距離からの動物の夜間の観察に有用であり、一方、他のカメラユニットは、より長距離の可視光／日光下での観察に有用である。ユーザは、所望の用途に応じてＭＣＡ１０２のカメラユニットを容易に交換し、他方を収納しておくことができる。
【００３３】
電源１０８は、ＭＣＡ１０２に電力を供給する。実施によっては、電源は、ＭＣＡ１０２のハウジング（不図示）に組み込まれた取り外し可能なキャップ（例えば、ポップオフ式、ネジ式など）の下に配設されたバッテリ（充電式又は非充電式、例えば１２３Ａ、ＣＲ２０３２、ＡＡ、ＡＡＡなど）である。実施によっては、ＭＣＡ１０２は、ＭＣＡ１０２に電力を供給する、及び／又は電源１０８（例えば、充電式バッテリの場合）を再充電するために外部電源（コネクタについては上記参照）に接続することができる。プロセッサ／制御ボード１１８は、電源１０８が充電式バッテリかどうかを判定し、適切な電力が供給されている場合に再充電機能を制御するように構成することができる。実施によっては、電源は、ＭＣＯデバイス１０４の電力生成コネクタに接続されている場合、ＭＣＯデバイス１０４から電力を引き出すことができる。実施によっては、ＭＣＡ１０２は、電源１０８が放電していることを示すインジケータ（例えば、ＬＥＤ、オーディオチャープ（チーチーと鳴く音）、及び／又は他の視覚／音声インジケータ）を有することができる。実施によっては、ＭＣＡ１０２は、スマートデバイスにデータを送信して電源１０８が放電して交換／再充電が必要だというメッセージをユーザに表示することができる。
【００３４】
制御アセンブリ１１０を用いてＭＣＡ１０２に関連する様々な機能を制御することができる。ＭＣＯデバイス１０４のハウジングに取り付けられた（例えば、接着剤片により）２つのボタンとして示されているが、記載された機能を提供するために多くの方法で制御アセンブリ１１０を構成できることを当業者であれば理解する。これらの他の構成も、本開示の範囲内であるとみなされる。例えば、制御アセンブリ１１０は、ボタン、スイッチ（例えば、マイラー、スライド、トグルなど）、タッチセンサ式表面などとなるように構成し得る。他の実施において、制御アセンブリ１１０は別体の制御アセンブリ１１０でなくてもよく、制御アセンブリ１１０の機能を、リンクされた外部スマートデバイス（例えば、スマートフォン、卓上コンピュータなど）上で実行されるアプリケーションに統合することができる。典型的な実施において、制御アセンブリ１１０は、例えば、ＭＣＡ１０２の電源オン／オフ、カメラズーム機能、ＭＣＡ１０２の光路のアライメント／調節、昼／夜間視機能の切り替え、外部スマートデバイスへのリンクの有効化／無効化などを制御する。
【００３５】
上記のように、実施によっては、ＭＣＡ１０２はＭＣＯデバイス１０４から取り外し可能である。分離した場合でも、ＭＣＡ１０２は、ＭＣＯデバイス１０４が提供する機能（及び重量／嵩）がない状態で他の有用な目的（例えば、監視、アクションカメラなど）のために独立して使用可能である。分離した場合でも、ＭＣＡ１０２は、ネットワーク接続を使用してスマートデバイス（又は他のデバイス）にリンク可能である。例えば、監視状況において、ＭＣＡ１０２をＭＣＯデバイス１０４から切り離し、ユーザが手に保持して壁の横／上から見る、ＭＣＯデバイス１０４が収まらない狭い空間の光景を捉える、ＭＣＡ１０２／ＭＣＯデバイス１０４の組み合わせが目立つ場合に秘密裏に使用する、といったことができる。実施によっては、ＭＣＡ１０２は、スマートデバイスに取り付けて、スマートデバイスの内蔵カメラ／マイクロホンと比較して、高品質の特別なアプリケーション又は指向性の音増幅機能を持つ補助カメラとして機能させることができる。
【００３６】
図２は、実施による、図１のＭＣＡ１０２及びＭＣＯデバイス１０４の異なる斜視図２００である。図２は、図１の斜視図では見えないＭＣＡ１０２の対物レンズ１０６及びＭＣＯデバイス１０４の対物光学系も図示する。
【００３７】
図３は、実施による、図１及び図２のＭＣＡ１０２及びＭＣＯデバイス１０４の別の斜視図３００である。図３は、ＭＣＯデバイス１０４の本体に人間工学的に取り付けられるようにデザインされたＭＣＯデバイスマウント１１２、及びスマートデバイス上で実行されるアプリケーションの助けを借りてＭＣＡ１０２の光軸とＭＣＯデバイス１０４光学素子のアライメントを可能にするコリメーションマウント１１４も示す。
【００３８】
ＭＣＯデバイスマウント１１２は、様々なタイプのＭＣＯデバイス１０４に取り付けられるようにデザインされている。例えば、ＭＣＯデバイスマウント１１２は、様々なタイプの双眼鏡、望遠鏡、スポッティングスコープ、ライフルスコープなどのデザインに確実に人間工学的に「フィット」できるように、調節可能なクランプ、支持体、ブラケットなどを備えて構成し得る。図３に示すように、ＭＣＡ１０２は、双眼鏡ＭＣＯデバイス１０４の両方の半分の中心回転軸／ヒンジに取り付けられている。本実施（具体的には図示していないが）において、クランプを取り付け、軸／ヒンジ周りに締め付けてＭＣＡ１０２を所定位置に固定できる。実施によっては、固定用テープ／接着剤を使用することもできる。当業者には明らかなように、ＭＣＯデバイス１０４の可能な構成は多数存在し、例示の双眼鏡ＭＣＯデバイス１０４は、読者がＭＣＯデバイスマウント１１２の背後にある意図を理解するのを助けるために提示したものである。具体的には図示していないが、ＭＣＡ１０２をＭＣＯデバイス１０４に固定するための機構の変更例は、少なくともＭＣＡ１０２がＭＣＯデバイス１０４に確実に人間工学的に取り付けられる限り、本開示の範囲内であるとみなされる。
【００３９】
コリメーションマウント１１４は、スマートデバイス上で実行されるアプリケーションの助けを借りてＭＣＡ１０２の光軸をＭＣＯデバイス１０４の光学素子と整列させるために使用される。例えば、実施によっては、コリメーションマウント１１４は、例えば、ネジ、クランプ、接着剤、ピンなどを使用して、ＭＣＯデバイスマウント１１２（コリメーションマウント１１４用の固定ベースとして機能する）と連結するように構成することができる。次いで、ＭＣＯデバイスマウント１１２が取り付けられたＭＣＡ１０２の仰角／左右方向の調節を可能とする状態で、ＭＣＡ１０２がＭＣＯデバイスマウント１１２に取り付けられる。コリメーションマウント１１４は、様々な方法（例えば、手動ネジによる仰角／左右方向の調節、マウントを左／右及び上／下に動かす押ボタン、手動式ロック／ロック解除型調節、スマートデバイス上で実行されるアプリケーションで駆動可能な電動式マウント、制御アセンブリ１１０、声による指令など）で調節されるように構成することができる。
【００４０】
アプリケーション駆動式コリメーション方法の一の実施例として、ユーザは、コリメーション構成を実現するスマートデバイスアプリケーションにＭＣＡ１０２をリンクさせることができる。次いで、ユーザは、スマートデバイスを手に取り、スマートデバイスカメラをＭＣＯデバイス１０４の接眼レンズと整列（保持又は搭載）させる（可能であれば、ＭＣＡ１０２をＭＣＯデバイス１０４の光路と確実に適切なアライメント状態に保持するための取付ブラケットを用いて）ことができる。次いで、スマートデバイス上で実行されるアプリケーションは、ＭＣＯデバイス１０４の光路とＭＣＡ１０２の光路の視覚画像とを並べて、又は重ねて示し、コリメーションマウント１１４を使用してユーザが両者を整列できるようにする。例えば、アプリケーションは、各視覚画像に視覚的ドット、グリッド、及び／又は他のアライメントインジケータを示すことができ、次いで、ユーザは、ドット／アライメントインジケータのアライメントを動かして重ねる（例えば、上記の調節のタイプを使用した手動調節により）だけでよい。アプリケーションは更に、ＭＣＯデバイス１０４の光路のＦＯＶ、ズーム、焦点などにマッチするようにユーザがＭＣＡ１０２システムをズーム／フォーカスできるようにする。実施によっては、アプリケーションは、インテリジェント画像処理（画素／画像  分析／マッチング、など）を実行すると共に、ＭＣＯデバイス１０４の光学特性と（例えば、電動式コリメーションマウント１１４を使用して）マッチするようにＭＣＡ１０２の自動調節を実行し、自動的にＭＣＡの適切な位置を設定／ロックする、対物レンズ１０６をズーム／フォーカスする、といったことができる。
【００４１】
ＭＣＯデバイスマウント１１２及びコリメーションマウント１１４に関する先の記述では、これらを別体のマウント又はＭＣＡ１０２ハウジングの外部の組み合わされたマウントであると記載したが、他の実施において、ＭＣＯデバイスマウント１１２及びコリメーションマウント１１４の機能をＭＣＡ１０２のハウジングの一部として、それぞれＭＣＡ１０２のハウジングに一体化することができる。例えば、ＭＣＡ１０２（構成されたＭＣＡ１０２のハウジングによってＭＣＯデバイス１０４に取り付けられた）をコリメートするため、ＭＣＡ１０２ハウジング内部のコリメーション機構が、アプリケーションを使用して、デジタルセンサ（一つ以上）１１６、対物レンズ１０６及び／又は他の適用可能なコンポーネント（実施によっては、完全なカメラユニットとして組み合わされる）を移動／正しい方向に置くことができる。本実施において、ＭＣＡ１０２のハウジングは、静止したままであるが、ＭＣＡ１０２の光学コンポーネントは、ＭＣＡ１０２のハウジング内を（上記に記載するように手動又は自動手段、例えば、ネジ、電動機能などにより）移動可能である。更に別の実施において、ＭＣＡ１０２をＭＣＯデバイス１０４に固定するために、ＭＣＯデバイスマウント１１２は、ＭＣＯデバイス１０４及びＭＣＡ１０２ハウジングの外部のものとしてＭＣＯデバイス１０４及びＭＣＡ１０２ハウジングに取り付けることができる一方で、直前に記載したように、コリメーションマウント１１４の機能をＭＣＡ１０２のハウジングに一体化することができる。
【００４２】
図４は、実施による、ＭＣＡ１０２を含む分散計算システム（ＥＤＣＳ）の一の実施例のコンポーネントを示すブロック図４００である。図示のシステムは、データ接続４３０を介して通信するＭＣＡ１０２、スマートデバイス４４０、及びＭＣＯデバイスマウント１１２／コリメーションマウント１１４（上記のような）を含むか、これらに通信可能に連結される（ただし、ＭＣＯデバイスマウント１１２と、コリメーションマウント１１４は典型的には連結されているため、ＭＣＯデバイスマウント１１２はコリメーションマウント１１４と共に含まれているが、ＭＣＯデバイスマウント１１２は典型的には「データ処理能力のない」ものであり、データ接続４３０を使用して通信はしないと理解される。ただし、実施によっては、ＭＣＯデバイスマウント１１２／コリメーションマウント１１４は、１つの組み合わせたユニットである。）。実施によっては、ＥＤＣＳシステムの１つ以上のコンポーネントは、他のＭＣＡ１０２／ＭＣＯデバイス１０４、スマートデバイス４４０、及び／又はＭＣＯデバイスマウント１１２／コリメーションマウント１１４と共に動作するように構成されてもよい。
【００４３】
概要で述べると、ＭＣＡ１０２は、ＥＤＣＳに関連するデータ及び情報を処理するように作動する電子計算デバイスである。ＭＣＡ１０２は、上記のように、典型的にはＭＣＯデバイス１０４に光学的にコリメートされた状態で搭載される。当業者には明らかなように、ＭＣＡ１０２は、上記の機能／動作（一つ以上）を可能にするのに必要な不図示の制御／処理回路及び／又は他のコンポーネントを更に含むことができる。典型的な実施において、ＭＣＡ１０２は、インターフェース１２２、プロセッサ／制御ボード１１８、メモリ１２０、アプリケーション４０４、電源１０８（既述）、制御アセンブリ１１０（既述）、及びデジタルセンサ（一つ以上）／他の計器４０２を含む。
【００４４】
ＭＣＡ１０２は、典型的にはスマートデバイス４４０に送信される（例えば、インターフェース１２２を使用して）視覚データ、音声データ、及び／又は他のデータを受信し、処理し、生成し、及び／又は送信する役割を果たす。実施によっては、データは、ＭＣＡ１０２、ＭＣＯデバイス１０４、スマートデバイス４４０、及び／又はＭＣＯデバイスマウント１１２／コリメーションマウント１１４の他の例を含むＥＤＣＳ内の任意の他のデバイスが受信し、それらに送信することもできる。例えば、１つのスマートデバイス４４０を「コントローラ」として指定し、ビデオデータ、音声データ、及び／又は他のデータをより正確に提示するために複数のＭＣＡ１０２（及び／又はＥＤＣＳの他の要素）からデータを受信することができる。
【００４５】
ＭＣＡ１０２のコンポーネントのそれぞれは、システムバス４０３を用いて通信することができる。実施によっては、ＭＣＡ１０２のコンポーネントのいずれか及び／又は全ては、ハードウェア及び／又はソフトウェアのいずれも、アプリケーションプログラミングインターフェース（ＡＰＩ）、サービスレイヤなど（いずれも不図示）を使用しシステムバス４０３を介して互いに、及び／又はインターフェース１２２と情報交換してもよい。ＡＰＩは、ルーチン、データ構造、及びオブジェクトクラスのための仕様を含んでもよい。ＡＰＩは、コンピュータ言語非依存でも依存でもよく、完全なインターフェース、単一機能、又は一組のＡＰＩを指してもよい。サービスレイヤは、ＥＤＣＳにソフトウェアサービスを提供する。ＭＣＡ１０２の機能は、このサービスレイヤを使用する全てのサービス消費者がアクセス可能であってもよい。サービスレイヤが提供するようなソフトウェアサービスは、定義済みインターフェースを介して再利用可能な、定義済みビジネス機能を提供する。例えば、インターフェースは、ＪＡＶＡ（登録商標）、Ｃ＋＋、又は拡張マークアップ言語（ＸＭＬ）フォーマット又は他の適切なフォーマットでデータを提供する他の適切な言語で書かれたソフトウェアであってもよい。ＡＰＩ及び／又はサービスレイヤの任意の部分又は全ての部分は、本開示の範囲から逸脱することなく、他のソフトウェアモジュールの子モジュール又はサブモジュールとして実施されてもよい。例えば、ＡＰＩは、アプリケーション４０４に一体化し得る。
【００４６】
図４では単一のインターフェース１２２として示されているが、特定のニーズ、要望、又はＥＤＣＳの特定の実施に従い、２つ以上のインターフェース１２２を使用してもよい。インターフェース１２２は、ＥＤＣＳの他の要素及び／又は他のＥＤＣＳの他の要素と通信するために、データ接続４３０を使用してＭＣＡ１０２によって使用される。一般に、インターフェース１２２は、ソフトウェア及び／又はハードウェアにおいて適切な組み合わせでコード化され、データ接続４３０と通信するように作動する論理回路を備える。より具体的には、インターフェース１２２は、データ接続４３０又はデータ接続４３０のハードウェアが、図示したＥＤＣＳの内部及び外部で物理的信号を通信するように作動するよう、通信と関連する１つ以上の通信プロトコルをサポートするソフトウェアを備えてもよい。データ接続は、無線ネットワーク（例えば、セルラー、ＷＩＦＩ（登録商標）、ＢＬＵＥＴＯＯＴＨ（登録商標）など）、及び／又は直接的な物理的接続（例えば、ケーブルなど）を含むことができる。
【００４７】
ＭＣＡ１０２は、プロセッサ／制御ボード１１８を含む。図１では単一のプロセッサ／制御ボード１１８として示されているが、特定のニーズ、要望、又はＥＤＣＳの特定の実施に従い、２つ以上のプロセッサ／制御ボード１１８を使用してもよい。プロセッサ／制御ボード１１８は、命令を実行し、データを操作してＭＣＡ１０２の動作／機能を実行する。例えば、プロセッサ／制御ボード１１８は、ＭＣＡ１０２からのデータを処理しスマートデバイス４４０に送信する機能を実行することができる。
【００４８】
ＭＣＡ１０２は、ＭＣＡ１０２のためのデータを保持するメモリ１２０を更に含む。図４では単一のメモリ１２０として示されているが、特定のニーズ、要望、又はＥＤＣＳの特定の実施に従い、２つ以上のメモリを使用してもよい。ＭＣＡ１０２の内部コンポーネントとしてメモリ４０６が示されているが、代替の実施において、メモリ１２０は、ＭＣＡ１０２及び／又はＥＤＣＳの外部のものとすることができる。実施によっては、メモリ１２０は、例えば、ユーザプロフィール、通信データ、対象物のデータ、記録された音声／ビデオデータ、アプリケーション、及び／又は他の適切なデータのうちの１つ以上の例を記憶するように構成することができる。
【００４９】
実施によっては、メモリ１２０は、音声データ、視覚データ及び／又は他のデータを記憶するための外部メモリデバイス（例えば、ＳＤカード、ＵＳＢフラッシュドライブなど）を含むことができる。例えば、メモリ１２０は、ＭＣＡ１０２に関連する必要な処理を実行するためにＭＣＡ１０２を使用でき、一方、ＭＣＡ１０２に取り付けられた外部メモリデバイス（コネクタについては上記参照）は、バックアップ、キャッシュ、一時及び／又は恒久的データ記憶装置として機能することができる。
【００５０】
アプリケーション４０４は、とりわけ、ＭＣＡ１０２の動作に関する機能、及び／又はスマートデバイス４４０、及び／又はＭＣＯデバイスマウント１１２／コリメーションマウント１１４に関連する機能を提供するソフトウェア計算エンジンである。例えば、アプリケーション４０４は、ＭＣＡ１０２にインストールされるダウンロード可能／アップグレード可能なアプリケーション（又はファームウェア）とすることができる。アプリケーション４０４は、ＭＣＡ１０２の設定（例えば、スマートデバイス４４０をインターフェースとして用いて、又は内蔵表示メニュー（不図示）を用いて）、処理データ（例えば、デジタルセンサ／他の計器４０２、例えば対物レンズ１０６／デジタルセンサ（一つ以上）１１６からの）の受信、スマートデバイス４４０及び／又はコリメーションマウント１１４へのデータ送信などが可能である。
【００５１】
単一のアプリケーション４０４として示されているが、アプリケーション４０４は、複数のアプリケーション４０４として実施してもよい。加えて、ＭＣＡ１０２に一体として示されているが、代替の実施において、アプリケーション４０４は、ＭＣＡ１０２及び／又はＥＤＣＳの外部にあるもの（例えば、全体的に又は部分的に他のＭＣＡ１０２（不図示）の異なる実施上で実行されるなど）とすることができる。
【００５２】
デジタルセンサ／他の計器４０２は、データを収集しアプリケーション４０４で利用可能とするための様々なハードウェア及び／又はソフトウェア計器を含むことができる。例えば、デジタルセンサ／他の計器４０２は、上記のように、対物レンズ１０６及びデジタルセンサ（一つ以上）１１６を含むことができる。実施によっては、デジタルセンサ／他の計器４０２は、様々なタイプのデジタルカメラ（一つ以上）（サーマルカメラ、ＩＲ（赤外線）カメラなどを含む）、ＧＰＳ受信器／送信器、クロック、加速度計、ジャイロセンサ、コンパス、無線機、温度／圧力センサ、湿度計、高度計、照度センサ、レーザー測距計、及び／又はＥＤＣＳの目的に適する他の計器／センサ（図１について記載したものを含む）を更に含むことができる。
【００５３】
スマートデバイス４４０に関連するアプリケーション４４２は、概括的に言えば、スマートデバイス４４０、ＭＣＡ１０２、及び／又はＭＣＯデバイスマウント１１２／コリメーションマウント１１４と情報交換し、これらを制御するインターフェースを提供するソフトウェア計算エンジンである。例えば、アプリケーション４４２は、スマートデバイス４４０にインストールされるダウンロード／アップグレード可能なアプリケーションとすることができる。アプリケーション４４２は、上記のように、ＭＣＡ１０２をＭＣＯデバイス１０４の光路とコリメートする、及び／又はＭＣＡ１０２、コリメーションマウント１１４、及び／又はＥＤＣＳの他のコンポーネント又は他のＥＤＣＳ（他のＭＣＡ１０２、スマートデバイス４４０などを含む）から受信したデータを処理／表示するための機能を提供することができる。
【００５４】
単一のアプリケーション４０４として示されているが、アプリケーション４４２は、複数のアプリケーション４４２として実施してもよい。加えて、スマートデバイス４４０に一体として示されているが、代替の実施において、アプリケーション４４２は、スマートデバイス４４０及び／又はＥＤＣＳの外部にあるもの（例えば、全体的に、又は部分的に他のスマートデバイス４４０及び／又は他のデバイス（不図示）の異なる実施上で実行される）とすることができる。
【００５５】
図５は、実施による、ＭＣＡ１０２を使用する方法のフローチャートである。
【００５６】
説明を明確にするため、以下の記載は一般に図１〜４の文脈における方法５００について記載する。ただし、当然ながら、方法５００は、必要に応じ、例えば、任意の他の適切なシステム、環境、ソフトウェア及びハードウェア、又はシステム、環境、ソフトウェア及びハードウェアの組み合わせによって適宜実行されてもよい、と理解されるであろう。実施によっては、方法５００の様々なステップは、並行して、組み合わせて、ループで又は任意の順序で行われる。
【００５７】
ステップ５０２において、ＭＣＡがスマートデバイスにリンクされる。例えば、ＭＣＡは、発見モードに設定され、ＢＬＵＥＴＯＯＴＨ（登録商標）を用いてスマートデバイスにリンクされる。ステップ５０２から、方法５００はステップ５０４へ進む。
【００５８】
ステップ５０４において、スマートデバイス上でコリメーション機能を実行するための適切なアプリケーションが起動される。例えば、ユーザは、ＭＣＡ及びＭＣＯデバイスと共に使用してＭＣＡの光軸をＭＣＯデバイスの光学素子と整列させるための光学的コリメーションアプリケーションを起動することができる。ステップ５０４から、方法５００はステップ５０６へ進む。
【００５９】
ステップ５０６において、コリメーションデータがＭＣＡから／ＭＣＡへと受信／送信される。例えば、スマートデバイスアプリケーションが、ＭＣＡから視覚的データを受信し、ＭＣＯデバイスの光路と整列させる際にこのデータをスマートデバイスカメラから受信した視覚的データと重ね合わせる。ステップ５０６から、方法５００はステップ５０８へ進む。
【００６０】
ステップ５０８において、スマートデバイスアプリケーションは、ＭＣＡ及びＭＣＯデバイスのコリメーションデータを処理し、調節のためのアライメントインジケータを判定する。例えば、スマートデバイスアプリケーションは、各コリメーションデータ視覚画像に視覚的ドット、グリッド、及び／又は他のアライメントインジケータを示すことができる。ステップ５０８から、方法５００はステップ５１０へ進む。
【００６１】
ステップ５１０において、スマートデバイスアプリケーションを使用してＭＣＡをＭＣＯデバイスの光学特性と整列させる。実施によっては、ユーザは、ドット／アライメントインジケータのアライメントを動かして重ねること（例えば、上記の調節のタイプを使用した手動調節により）ができる。スマートデバイスアプリケーションは、ＭＣＯデバイスの光路のＦＯＶ、ズーム、焦点などにマッチするようにユーザがＭＣＡシステムをズーム／フォーカスすることを可能にする。実施によっては、スマートデバイスアプリケーションは、インテリジェント画像処理（画素／画像分析／マッチングなど）を実行すると共に、ＭＣＯデバイスの光学特性と（例えば、電動式コリメーションマウントを使用して）マッチするようにＭＣＡの自動調節を実行し、自動的にＭＣＡの適切な位置を設定／ロックする、対物レンズをズーム／フォーカスするといったことができる。ステップ５１０から、方法５００はステップ５１２へと進む。
【００６２】
ステップ５１２において、スマートデバイス上のアプリケーションが受信したＭＣＡデータの記録／処理のために起動される。例えば、ユーザは、視覚的／音声データを画像鮮明化のためにスマートデバイスアプリケーションに送り、関連する音声データを記憶するようにＭＣＡを設定することができる。スマートデバイスアプリケーションは、処理されたデータのスマートデバイスデータディスプレイへの表示を開始する。データは、予め設定された及び／又は動的に判定された優先順位に従って表示することができる。ステップ５１２の後、方法５００は停止する。当業者には明らかなように、スマートデバイスアプリケーションが受信したデータを用いて実行できる可能性のある機能が多数存在する。本明細書において提示される例は、参考とすることを意図したものであり、決して限定することを意味するものではない。
【００６３】
本明細書に記載された主題及び機能作動の実施の形態は、本明細書に開示する構造及びその構造的均等物を含む、デジタル電子回路、明白に具体化されたコンピュータソフトウェア又はファームウェア、コンピュータハードウェアに、又はそれらの１つ以上の組み合わせに実装可能である。本明細書に記載された主題の実施の形態は、１つ以上のコンピュータプログラムとして、即ち、データ処理装置による実行のために、又はデータ処理装置の作動を制御するために、有形の非一時的コンピュータ記憶媒体上でコード化されたコンピュータプログラム命令の１つ以上のモジュールとして実装可能である。これに代えて、あるいはこれに加えて、人工的に発生させた伝播信号、例えば、適切な受信装置に送信し、データ処理装置によって実行できるよう、情報をコード化するために生成される機械生成による電気的、光学的又は電磁的信号上に、プログラム命令をコード化することができる。コンピュータ記憶媒体は、機械で読取り可能な記憶デバイス、機械で読取り可能な記憶基板、ランダムアクセスメモリデバイスもしくはシリアルアクセスメモリデバイス、又はこれらの１つ以上の組み合わせとすることができる。
【００６４】
「データ処理装置」、「コンピュータ」又は「電子コンピュータデバイス」（又は当業者が理解する均等物）という用語は、データ処理ハードウェアを意味し、データを処理する全ての種類の装置、デバイス、及び機械を包含する。例としては、プログラム可能なプロセッサ、コンピュータ、又は複数のプロセッサ又はコンピュータが挙げられる。装置はまた、特殊目的の論理回路、例えば、中央演算処理装置（ＣＰＵ：ｃｅｎｔｒａｌ  ｐｒｏｃｅｓｓｉｎｇ  ｕｎｉｔ）、ＦＰＧＡ（ｆｉｅｌｄ  ｐｒｏｇｒａｍｍａｂｌｅ  ｇａｔｅ  ａｒｒａｙ：フィールドプログラマブルゲートアレイ）、又はＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ：特定用途向け集積回路）とすることができる、又はそれを更に含むことができる。実施の形態によっては、データ処理装置及び／又は特殊目的の論理回路は、ハードウェアベースのもの及び／又はソフトウェアベースのものであってもよい。装置は、場合によりコンピュータプログラム用の実行環境を創出するコード、例えば、プロセッサのファームウェア、プロトコルスタック、データベース管理システム、オペレーティングシステム、又はこれらの１つ以上の組み合わせを構成するコードを含むことができる。本開示は、従来のオペレーティングシステム、例えば、ＬＩＮＵＸ、ＵＮＩＸ（登録商標）、ＷＩＮＤＯＷＳ（登録商標）、ＭＡＣ  ＯＳ、ＡＮＤＲＯＩＤ（登録商標）、ＩＯＳ、又は他の任意の適切な従来のオペレーティングシステムを含む、又は含まない、データ処理装置の使用を意図している。
【００６５】
コンピュータプログラムは、プログラム、ソフトウェア、ソフトウェアアプリケーション、モジュール、ソフトウェアモジュール、スクリプト、又はコードとも呼ばれたり記載されたりすることがあるが、コンパイラ型言語もしくはインタープリタ型言語、又は宣言型言語もしくは手続型言語を含む任意の形態のプログラミング言語で書くことができ、スタンドアロンプログラム又はモジュール、コンポーネント、サブルーチン、又はコンピューティング環境での使用に適した他のユニットを含む任意の形態で展開することができる。コンピュータプログラムは、ファイルシステム内のファイルに対応していてもよいが、必ずしもその必要はない。プログラムは、他のプログラム又はデータ、例えば、マークアップ言語文書、対象のプログラム専用の単一ファイル、又は複数の連携ファイル、例えば、１つ以上のモジュール、サブプログラム、又はコードの一部を記憶するファイル、に記憶される１つ以上のスクリプトを保持するファイルの一部に記憶することができる。コンピュータプログラムは、１つのコンピュータ、又は１カ所に位置するもしくは複数の場所に分散され通信ネットワークによって相互接続された複数のコンピュータ上で実行されるように展開することができる。様々な図に示すプログラムの一部は、様々なオブジェクト、方法、又は他のプロセスを通じて様々な特徴及び機能を実装する個々のモジュールとして示されているが、プログラムは、これに代えて、サブモジュール、第三者によるサービス、コンポーネント、ライブラリ、及びそのようなものを必要に応じ複数含んでもよい。反対に、様々なコンポーネントの特徴及び機能は、適宜に単一コンポーネントにまとめてもよい。
【００６６】
本明細書に記載するプロセス及び論理フローは、入力データで作動し出力を生成することで機能を遂行するために１つ以上のコンピュータプログラムを実行する１つ以上のプログラム可能なコンピュータによって遂行することができる。プロセス及び論理フローはまた、特殊目的の論理回路、例えば、ＣＰＵ、ＦＰＧＡ、又はＡＳＩＣによって遂行することもでき、装置をこれらとして実装することもできる。
【００６７】
コンピュータプログラムの実行に適するコンピュータは、汎用及び特殊目的マイクロプロセッサの一方、両方、又は他の種類のＣＰＵに基づくものとすることができる。一般に、ＣＰＵは、命令とデータとを読取り専用メモリ（ＲＯＭ：ｒｅａｄ−ｏｎｌｙ  ｍｅｍｏｒｙ）もしくはランダムアクセスメモリ（ＲＡＭ：ｒａｎｄｏｍ  ａｃｃｅｓｓ  ｍｅｍｏｒｙ）、又は両者から受信する。コンピュータの必須要素は、命令を遂行又は実行するためのＣＰＵと、命令とデータを記憶するための１つ以上のメモリデバイスである。一般に、コンピュータは、更に、データを記憶するための１つ以上の大容量記憶デバイス、例えば、磁気ディスク、光磁気ディスク、又は光ディスクを含むか、これらからデータを受信する、もしくはこれらにデータを送信するようにこれらに作動可能に連結されているか、その両方である。ただし、コンピュータは、こうしたデバイスを有していなくてもよい。加えて、コンピュータは、別のデバイス、例えば、幾つか例を挙げると、携帯電話、携帯情報端末（ＰＤＡ：ｐｅｒｓｏｎａｌ  ｄｉｇｉｔａｌ  ａｓｓｉｓｔａｎｔ）、携帯オーディオプレイヤ又はビデオプレイヤ、ゲーム機、全地球測位システム（ＧＰＳ）受信機、又はポータブル記憶デバイス、例えば、ユニバーサルシリアルバス（ＵＳＢ）フラッシュドライブに組込むことができる。
【００６８】
コンピュータプログラム命令及びデータの記憶に適するコンピュータ可読媒体（必要に応じ一時性又は非一時性）は、全ての形態の不揮発性メモリ、媒体及びメモリデバイスを含む。例としては、半導体メモリデバイス、例えば、消去可能プログラマブル読取り専用メモリ（ＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、電気的消去可能プログラマブル読取り専用メモリ（ＥＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、及びフラッシュメモリデバイス；磁気ディスク、例えば、内蔵ハードディスク又はリムーバブルディスク；光磁気ディスク；ならびにＣＤ−ＲＯＭ、ＤＶＤ＋／−Ｒ、ＤＶＤ−ＲＡＭ、及びＤＶＤ−ＲＯＭディスクが挙げられる。メモリは、キャッシュ、クラス、フレームワーク、アプリケーション、バックアップデータ、ジョブ、ウェブページ、ウェブページテンプレート、データベーステーブル、ビジネス情報及び／又は動的な情報を記憶するリポジトリ、及び任意のパラメータ、変数、アルゴリズム、命令、規則、制約又はこれらへの参照を含む他の任意の適切な情報といった様々なオブジェクト又はデータを記憶してもよい。加えて、メモリは、例えばログ、ポリシ、セキュリティーデータ又はアクセスデータ、報告ファイルなどのような他の任意適切なデータを含んでもよい。プロセッサ及びメモリは、特殊目的の論理回路によって補完されてもよく、これと統合されてもよい。
【００６９】
ユーザとの情報交換（対話）を実現するため、本明細書に記載する主題の実施の形態は、情報をユーザに表示するためのディスプレイデバイス、例えば、ＣＲＴ（ｃａｔｈｏｄｅ  ｒａｙ  ｔｕｂｅ：陰極線管）、ＬＣＤ（ｌｉｑｕｉｄ  ｃｒｙｓｔａｌ  ｄｉｓｐｌａｙ：液晶ディスプレイ）、ＬＥＤ（Ｌｉｇｈｔ  Ｅｍｉｔｔｉｎｇ  Ｄｉｏｄｅ：発光ダイオード）、又はプラズマモニタと、ユーザがコンピュータに入力できるキーボード及びポインティングデバイス、例えば、マウス、トラックボール、又はトラックパッドを有するコンピュータに実装することができる。コンピュータへの入力は、感圧性を有するタブレットコンピュータ表面、容量もしくは電気検知を用いたマルチタッチスクリーン、又は他のタイプのタッチスクリーンなどのタッチスクリーンを使用して行ってもよい。他の種類のデバイスを使用してユーザとの情報交換（対話）を実現することもできる。例えば、ユーザへのフィードバックは、任意の形態の感覚フィードバック、例えば、視覚フィードバック、聴覚フィードバック、又は触覚フィードバックとすることができ、ユーザからの入力は、音響入力、音声入力、又は触覚入力を含む、任意の形態で受信することができる。加えて、コンピュータは、ユーザが使用するデバイスにドキュメントを送信しユーザが使用するデバイスからドキュメントを受信することで、例えば、ウェブブラウザから受信した要求に応えてユーザのクライアントデバイス上のウェブブラウザにウェブページを送信することで、ユーザと情報を交換（対話）することができる。
【００７０】
「グラフィカルユーザインターフェース」又は「ＧＵＩ」という用語は、１つ以上のグラフィカルユーザインターフェース及び特定のグラフィカルユーザインターフェースのそれぞれの表示を記載するのに、単数形又は複数形で使用する場合がある。したがって、ＧＵＩは、情報を処理し効率的に情報結果をユーザに提示する、ウェブブラウザ、タッチスクリーン、又はコマンドラインインターフェース（ＣＬＩ：ｃｏｍｍａｎｄ  ｌｉｎｅ  ｉｎｔｅｒｆａｃｅ）を含むがそれに限らない、任意のグラフィカルユーザインターフェースを表す場合がある。一般に、ＧＵＩは、ビジネススイートユーザが作動可能な情報交換フィールド、プルダウンリスト、及びボタンなどの複数のユーザインターフェース（ＵＩ：ｕｓｅｒ  ｉｎｔｅｒｆａｃｅ）要素を含む場合があり、その一部又は全部が、ウェブブラウザと関連している。これらのＵＩ要素及び他のＵＩ要素が、ウェブブラウザの機能と関連していてもよく、ウェブブラウザの機能を表していてもよい。
【００７１】
本明細書に記載された主題の実施の形態は、例えばデータサーバーのようなバックエンドコンポーネントを含むコンピューティングシステム、又は、ミドルウェアコンポーネント、例えば、アプリケーションサーバーを含むコンピューティングシステム、又は、フロントエンドコンポーネント、例えば、ユーザと本明細書に記載された主題の実施の形態との情報交換（対話）を可能にするウェブブラウザもしくはグラフィカルユーザインターフェースを有するクライアントコンピュータを含むコンピューティングシステム、又はこうしたバックエンド、ミドルウェア、又はフロントエンドコンポーネントの１つ以上の任意の組み合わせに実装することができる。システムのコンポーネントは、無線通信及び／又は無線デジタルデータ通信の任意の形態又は媒体、例えば、通信ネットワークによって相互接続できる。通信ネットワークの例としては、ローカルエリアネットワーク（ＬＡＮ：ｌｏｃａｌ  ａｒｅａ  ｎｅｔｗｏｒｋ）、無線アクセスネットワーク（ＲＡＮ：ｒａｄｉｏ  ａｃｃｅｓｓ  ｎｅｔｗｏｒｋ）、メトロポリタンエリアネットワーク（ＭＡＮ：ｍｅｔｒｏｐｏｌｉｔａｎ  ａｒｅａ  ｎｅｔｗｏｒｋ）、広域ネットワーク（ＷＡＮ：ｗｉｄｅ  ａｒｅａ  ｎｅｔｗｏｒｋ）、マイクロ波アクセスのための世界的な相互運用サービス（ＷＩＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、例えば８０２．１１ａ／ｂ／ｇ／ｎ及び／又は８０２．２０を使用する無線ローカルエリアネットワーク（ＷＬＡＮ：ｗｉｒｅｌｅｓｓ  ｌｏｃａｌ  ａｒｅａ  ｎｅｔｗｏｒｋ）、インターネットの一部又は全部、及び／又は一カ所以上での他の任意の通信システムが挙げられる。ネットワークは、ネットワークアドレス間で、例えば、インターネットプロトコル（ＩＰ：Ｉｎｔｅｒｎｅｔ  Ｐｒｏｔｏｃｏｌ）パケット、フレームリレーフレーム、非同期転送モード（ＡＴＭ：Ａｓｙｎｃｈｒｏｎｏｕｓ  Ｔｒａｎｓｆｅｒ  Ｍｏｄｅ）セル、音声、動画、データ、及び／又は他の適切な情報と通信してもよい。
【００７２】
コンピューティングシステムは、クライアントとサーバーとを含むことができる。クライアントとサーバーは一般に互いに離れており、典型的には通信ネットワークを通じて情報交換する。クライアントとサーバーの関係は、それぞれのコンピュータ上で作動し、互いにクライアント−サーバー関係を有するコンピュータプログラムによって生じる。
【００７３】
実施の形態によっては、コンピューティングシステムのコンポーネントのいずれか又は全部は、ハードウェア及び／又はソフトウェアともに、アプリケーションプログラミングインターフェース（ＡＰＩ）及び／又はサービスレイヤを使用して互いに及び／又はインターフェースと連携してもよい。ＡＰＩは、ルーチン、データ構造、及びオブジェクトクラス用の仕様を含んでもよい。ＡＰＩは、コンピュータ言語非依存でも依存でもよく、完全なインターフェース、単機能、又は一組のＡＰＩに当てはまるものであってもよい。サービスレイヤは、コンピューティングシステムにソフトウェアサービスを提供する。コンピューティングシステムの様々なコンポーネントの機能は、このサービスレイヤを用いてサービス購入者が誰でもアクセス可能なものであってもよい。ソフトウェアサービスは、定義されたインターフェースを介して再使用可能な、定義されたビジネス機能を提供する。例えば、インターフェースは、ＪＡＶＡ（登録商標）、Ｃ＋＋、又は、拡張マークアップ言語（ＸＭＬ）フォーマット又は他の適切なフォーマットでデータを提供する他の適切な言語で書かれたソフトウェアであってもよい。ＡＰＩ及び／又はサービスレイヤは、コンピューティングシステムの他のコンポーネントに関連する一体のコンポーネント及び／又はスタンドアロンコンポーネントであってもよい。更には、サービスレイヤの一部又は全ての部分は、本開示の範囲から逸脱しない範囲で、別のソフトウェアモジュール、エンタープライズアプリケーション、又はハードウェアモジュールの子モジュール又はサブモジュールとして実装されてもよい。
【００７４】
本明細書は多くの特定の実施の形態の詳細を含むが、これらは任意の発明の範囲又は請求され得るものの範囲に対する制限とみなすべきではなく、特定の発明の特定の実施の形態に固有であり得る特徴の記載とみなすべきである。個別の実施の形態の文脈において本明細書に記載されるある種の特徴はまた、単一の実施の形態において組み合わせて実施され得る。反対に、単一の実施の形態の文脈において記載される様々な特徴はまた、複数の実施の形態において別々に又は任意の適切なサブコンビネーションで実施され得る。更に、特徴がある種の組み合わせで作動するものとして上で記載され、そのようなものとして最初に請求されることさえあるが、請求される組み合わせからの１以上の特徴は、場合によっては組み合わせから除外されてもよいし、請求される組み合わせは、サブコンビネーション又はサブコンビネーションの変形を対象としてもよい。
【００７５】
主題の特定の実施の形態を記載した。記載された実施の形態の他の実施の形態、変更、及び変形は、当業者には明らかなように、以下の特許請求の範囲内に含まれる。作動は、図面又は特許請求において特定の順序で描かれるが、これは、所望の結果を得るために、このような作動が、示される特定の順序又は連続的順序で遂行されること、又は図示される全ての作動が実行されることを要求するものとして理解するべきではない（作動の一部は必須ではないと考えてよい）。ある種の状況では、マルチタスキング及び並行処理が有用であり得る。
【００７６】
更に、上記の実施の形態における様々なシステムモジュール及びコンポーネントの分離及び／又は統合は、全ての実施の形態においてこのような分離及び／又は統合が要求されるものとして理解するべきではなく、記載されたプログラムコンポーネント及びシステムは一般に、単一のソフトウェア製品にまとめるか、複数のソフトウェア製品にパッケージ化することができるものと理解すべきである。
【００７７】
したがって、上の実施の形態としての実施の記載は、この開示を規定又は限定するものではない。この開示の精神及び範囲から逸脱することなく他の変更、置換又は改変も可能である。
［第１の局面］
コンピュータ実装方法であって：
データ接続を使用してモジュール式カメラアクセサリ（ＭＣＡ）をスマートデバイスにリンクさせるステップと；
前記スマートデバイス上でアプリケーションを起動し、前記ＭＣＡとモジュール式カメラアタッチメント対応光学（ＭＣＯ）デバイスとの間のコリメーション機能を実行するステップと；
前記ＭＣＡ及び前記ＭＣＯデバイスの光路からコリメーションデータを収集するように構成された前記スマートデバイスのカメラからコリメーションデータを受信するステップと；
前記ＭＣＡ及び前記ＭＣＯデバイスから受信した前記コリメーションデータを処理し、アライメントインジケータを判定するステップと；
前記判定されたアライメントインジケータを用い、前記ＭＣＡを前記ＭＣＯデバイスの光学特性と整列させるステップと；
前記アプリケーションを前記スマートデバイス上で起動して前記ＭＣＡから受信したデータを処理するステップと；を備える、
コンピュータ実装方法。
［第２の局面］
前記データ接続が、電話、ネットワーク、ＢＬＵＥＴＯＯＴＨ（登録商標）、及びＷＩＦＩ（登録商標）のうちの１つである、
第１の局面に記載のコンピュータ実装方法。
［第３の局面］
前記スマートデバイスが、モバイル遠隔通信デバイスである、
第１の局面に記載のコンピュータ実装方法。
［第４の局面］
前記アライメントインジケータが、ＭＣＡ光軸を前記ＭＣＯデバイスの光学素子と整列させるために用いられる前記コリメーションデータ中の視覚的ドット又はグリッドを含む、
第１の局面に記載のコンピュータ実装方法。
［第５の局面］
前記アプリケーションが、インテリジェント画像処理を実行して前記ＭＣＯデバイスの前記光学特性にマッチするように前記ＭＣＡの自動調節を実行する、ステップを備える、
第１の局面に記載のコンピュータ実装方法。
［第６の局面］
電動式コリメーションマウントを制御して前記ＭＣＡのアライメントを変更する、ステップを備える、
第５の局面に記載のコンピュータ実装方法。
［第７の局面］
前記アプリケーションが、受信したＭＣＡデータを前記スマートデバイス上に記録する、ステップを備える、
第１の局面に記載のコンピュータ実装方法。
［第８の局面］
コンピュータが実行可能なコンピュータ可読命令を記憶した、非一時的コンピュータ可読媒体であって：
データ接続を使用してモジュール式カメラアクセサリ（ＭＣＡ）をスマートデバイスにリンクさせることと；
前記スマートデバイス上でアプリケーションを起動し、前記ＭＣＡとモジュール式カメラアタッチメント対応光学（ＭＣＯ）デバイスとの間のコリメーション機能を実行することと；
前記ＭＣＡ及び前記ＭＣＯデバイスの光路からコリメーションデータを収集するように構成された前記スマートデバイスのカメラからコリメーションデータを受信することと；
前記ＭＣＡ及び前記ＭＣＯデバイスから受信した前記コリメーションデータを処理し、アライメントインジケータを判定することと；
前記判定されたアライメントインジケータを用い、前記ＭＣＡを前記ＭＣＯデバイスの光学特性と整列させることと；
前記アプリケーションを前記スマートデバイス上で起動して前記ＭＣＡから受信したデータを処理することと；を実行するように構成された、
非一時的コンピュータ可読媒体。
［第９の局面］
前記データ接続が、電話、ネットワーク、ＢＬＵＥＴＯＯＴＨ（登録商標）、及びＷＩＦＩ（登録商標）のうちの１つである、
第８の局面に記載の非一時的コンピュータ可読媒体。
［第１０の局面］
前記スマートデバイスが、モバイル遠隔通信デバイスである、
第８の局面に記載の非一時的コンピュータ可読媒体。
［第１１の局面］
前記アライメントインジケータが、ＭＣＡ光軸を前記ＭＣＯデバイスの光学素子と整列させるために用いられる前記コリメーションデータ中の視覚的ドット又はグリッドを含む、
第８の局面に記載の非一時的コンピュータ可読媒体。
［第１２の局面］
前記アプリケーションが、インテリジェント画像処理を実行して前記ＭＣＯデバイスの前記光学特性にマッチするように前記ＭＣＡの自動調節を実行する命令をさらに備える、
第８の局面に記載の非一時的コンピュータ可読媒体。
［第１３の局面］
前記ＭＣＡのアライメントを変更するために電動式コリメーションマウントを制御する命令をさらに備える、
第１２の局面に記載の非一時的コンピュータ可読媒体。
［第１４の局面］
前記アプリケーションが、受信したＭＣＡデータを前記スマートデバイス上に記録する命令をさらに備える、
第８の局面に記載の非一時的コンピュータ可読媒体。
［第１５の局面］
コンピュータメモリと相互運用可能に連結されたハードウェアプロセッサであって：    データ接続を使用してモジュール式カメラアクセサリ（ＭＣＡ）をスマートデバイスにリンクさせることと；
前記スマートデバイス上でアプリケーションを起動し、前記ＭＣＡとモジュール式カメラアタッチメント対応光学（ＭＣＯ）デバイスとの間のコリメーション機能を実行することと；
前記ＭＣＡ及び前記ＭＣＯデバイスの光路からコリメーションデータを収集するように構成された前記スマートデバイスのカメラからコリメーションデータを受信することと；
前記ＭＣＡ及び前記ＭＣＯデバイスから受信した前記コリメーションデータを処理し、アライメントインジケータを判定することと；
前記判定されたアライメントインジケータを用い、前記ＭＣＡを前記ＭＣＯデバイスの光学特性と整列させることと；
前記アプリケーションを前記スマートデバイス上で起動して前記ＭＣＡから受信したデータを処理することと；を実行するように構成された、ハードウェアプロセッサを備える：
コンピュータ実装システム。
［第１６の局面］
前記データ接続が、電話、ネットワーク、ＢＬＵＥＴＯＯＴＨ（登録商標）、及びＷＩＦＩ（登録商標）のうちの１つである、
第１５の局面に記載のコンピュータ実装システム。
［第１７の局面］
前記スマートデバイスが、モバイル遠隔通信デバイスである、
第１５の局面に記載のコンピュータ実装システム。
［第１８の局面］
前記アライメントインジケータが、ＭＣＡ光軸を前記ＭＣＯデバイスの光学素子と整列させるために用いられる前記コリメーションデータ中の視覚的ドット又はグリッドを含む、
第１５の局面に記載のコンピュータ実装システム。
［第１９の局面］
前記アプリケーションが、インテリジェント画像処理を実行して前記ＭＣＯデバイスの前記光学特性にマッチするように前記ＭＣＡの自動調節を実行するようにさらに構成された、
第１５の局面に記載のコンピュータ実装システム。
［第２０の局面］
前記ＭＣＡのアライメントを変更するために電動式コリメーションマウントを制御するようにさらに構成された、
第１９の局面に記載のコンピュータ実装システム。
［第２１の局面］
前記アプリケーションが、受信したＭＣＡデータを前記スマートデバイス上に記録するようにさらに構成された、
第１５の局面に記載のコンピュータ実装システム。
【符号の説明】
【００７８】
１００      モジュール式カメラアクセサリ（ＭＣＡ）１０２の斜視図
１０２      モジュール式カメラアクセサリ（ＭＣＡ）
１０４      ＭＣＯデバイス
１０６      対物レンズ
１０８      電源
１１０      制御アセンブリ
１１２      ＭＣＯデバイスマウント
１１４      コリメーションマウント
２００      ＭＣＯデバイス１０４の斜視図
３００      ＭＣＯデバイス１０４の斜視図
【図１】
0006560754.tif 000002
【図２】
0006560754.tif 000003
【図３】
0006560754.tif 000004
【図４】
0006560754.tif 000005
【図５】
0006560754.tif 000006